(57)【要約】【目的】有筒/無筒によらず、トイレットペーパロールを使用できるトイレットペーパロールホルダー【構成】揺動ロッドに、回転手段、円柱性、伸縮、又は延長手段、長ロッドと出入手段などの各機能を、併設、又は係持体の裏面等に複合的に組み合わせたり、又は機能アダプター着脱手段で、機能アダプターを既設のホルダーに設けたりすることで、従来方法、上下切替挿入法でのセット/アンセット、又は、セット空間から揺動ロッドの最小長を引いたサイズがロール幅になるようにすることで、左右順次挿入法でのセット/アンセットが、有筒/無筒によらず、可能になる。【選択図】  図１８
2008295481.tif 000002
【特許請求の範囲】
【請求項１】
揺動ロッドに回転機能を設けたホルダー
【請求項２】
該回転機能が、揺動ロッド自身の回転、又は揺動ロッドに回転筒を設けた、又は、揺動ロッドに摩擦低減機能を設けた請求項１記載のホルダー
【請求項３】
揺動ロッドが円柱性でなる上下切替挿入法が可能な請求項１記載、又は請求項２記載のホルダー
【請求項４】
揺動ロッドの裏面に複合機能を設けたホルダー
【請求項５】
該複合機能が、スライド機能、又は揺動ロッド機能である請求項４記載のホルダー
【請求項６】
揺動ロッドに併設機能を設けたホルダー
【請求項７】
該併設機能が、スライド機能、又は揺動ロッド機能である請求項４記載のホルダー
【請求項８】
ホルダーに機能付加する機能部と取付部でなる機能付加手段
【請求項９】
該機能部が、スライド機能、又は揺動ロッド機能で成り、取付部が、機能支台取付手段でなる請求項８記載の機能付加手段
【請求項１０】
非係持空間サイズ短縮手段を有するホルダー
【請求項１１】
該非係持空間サイズ短縮手段が、揺動ロッド伸縮手段である請求項１０記載のホルダー
【請求項１２】
該非係持空間サイズ短縮手段が、ホルダーフレームの側壁を貫通する貫通路を設け、長ロッドと出入取手との連結又は一体の、該出入取手による出入でなる請求項１０記載のホルダー
【請求項１３】
該長ロッドが、揺動ロッドに延長ロッドを連結させた連結ロッドでなる請求項１２記載のホルダー
【請求項１４】
該長ロッドが、弾性ロッドでなる請求項１２記載のホルダー
【請求項１５】
揺動ロッドの伸縮可能性と、セット空間サイズを、揺動ロッドの最短サイズにロール幅を加えたものにすることで左右順次挿入法が可能なホルダー
【発明の詳細な説明】
【技術分野】
【０００１】
従来の技術としては、トイレットペーパー巻き（以下、ロール）には、筒（以下、有筒）にトイレットペーパーが巻かれたもの（以下、有筒ロール）と、これに対して、筒をなくしたトイレットペーパー巻き（以下、無筒ロール）とがあり、該有筒ロールは、該筒から中心までの大穴の分だけトイレットペーパーが無いが、該無筒ロールは、該筒が無く、中心からトイレットペーパーが巻かれていて、結果として巻かれないで小穴が残った形のもので、このため、該小穴のサイズは、ほとんど無いぐらいに小さい場合もあり、しかも形状も一定でない。該無筒ロールは、一般にはコアノンロールとも呼ばれている。
【０００２】
該有筒の大穴と該無筒の小穴の径サイズが異なるため、ロールをロールホルダーに設置（以下、セット）する場合、上記のロールの種類に応じた専用ホルダー、即ち有筒ロールには専用の有筒ホルダー、無筒ロールには専用の無筒ホルダーが必要であった。
【０００３】
一般的に、有筒ホルダーは、図８に開示されているような形状で、ホルダーフレームの両側板で囲まれる空間（以下、セット空間）には、ホルダーフレームの両側板の凹部にそれぞれ設けられている係持体の突出端が突き出ていて、有筒ロールは、該係持体が両側で係持するが、両係持体の該突出端間（以下、非係持空間）は係持されないで、宙に浮いている。
【０００４】
該有筒ホルダーで採用されている揺動方式は、有筒ホルダーの両側板の内側に、それぞれ係持体が水平に突出していて、該係持体の突出端が、該係持体の揺動支点の回転軸である揺動軸で上と水平（以下、上下）に揺動し、バネ等の復元力で水平に戻るようになっている。
【０００５】
有筒ロールを有筒ホルダーにセットするには、有筒ロールで下から該突出端を持ち上げると、両側の突出端が持ち上がり、有筒の空洞で放たれ、突出端が有筒に嵌り、有筒ロールを手放すと、両側の突出端で、有筒ロールの両端が支えられ、セット完了となる。
【０００６】
有筒ロールを有筒ホルダーから取り出すには、有筒ロールを持ち上げると、有筒が両突出端を持ち上げることになり、両突出端が揺動支点の回転軸である揺動軸での上下揺動で持ち上がり、突出端は有筒の空洞から抜け、有筒ロールをさらに持ち上げ取り出すと、突出端は解き放たれ、該復元力で、突出端は水平に戻り、ロール取出（以下、アンセット）完了となる。このような従来のセット/アンセット法を従来方法と呼ぶことにする。
【０００７】
無筒ロールを無筒ホルダーにセットするのに採用されているロック方式のロック軸棒に関して記述すると、図９（ｂ）、（ｃ）に開示されているように、該ロック軸棒は、一端（以下、ロック端、他端を挿入端）を押す毎に、交互にロックと解除がなされ、出入が成されることで、該ロック軸棒の長手方向のサイズの伸縮（伸：解除時、縮：ロック時）機能を有するものである。
【０００８】
無筒ロールを無筒ホルダーにセットするには、該ロック軸棒を該小穴に通し、ロック端を押し込んでロックすることで長手方向のサイズを小さくし、該挿入端を、無筒ホルダーのホルダーフレームの側板のホルダー穴に入れ、次に端面当てを使って、該ロック端を、ホルダー側壁に押し込むことで、ロックが解除され、ロック端が飛び出そうとするが、ホルダーの両側壁間のサイズである該セット空間に制限された状態になり、該ロック端を無筒ホルダーのホルダー穴に近づけると、該ロック端が開放され、カチッとホルダー穴に該ロック端が嵌り、これで挿入端とロック端が嵌って、セットが完了する。
【０００９】
専用の無筒ホルダーから、ペーパーが残っている無筒ロールを取り出すには、無筒ロールを把持し、ロック軸棒の該ロック端側にある該端面当てにロールを押し付けると、伸びたロック端を押し付けることになり、ロックが掛り、該ロック軸棒のサイズは、該ホルダーの該セット空間のサイズより縮まり、無筒ロールの該ロック軸棒の両端は、それぞれ、該ホルダー穴から抜けることから、無筒ロールは取り出せる。大抵は、ペーパーを使い切ってしまうので、ペーパーよりも、残った該ロック軸棒を取り出す作業になる。
【００１０】
このように、無筒ロールをロック方式の無筒ホルダーにセットする作業は、面倒で、しかも専用の無筒ホルダーに加え、専用のロック軸棒が必要になる。
【００１１】
上記の通り、該無筒ロールを専用のロック方式の無筒ホルダーにセットする面倒さと、有筒ホルダーが漸次普及してきていることから、無筒ロールを、該有筒ホルダーにも使ってもらえるように工夫し、無筒ではあるが、該小穴のサイズを特殊な加工で該有筒の該大穴のサイズにしたロール（以下、「ワンタッチコアノン」）も販売されている。
【００１２】
無筒ロールを専用のロック方式の無筒ホルダーにセットする面倒さを解消したものとして、スライド方式の無筒ホルダーがある。図２に開示の併設ホルダーａ２０ａは、従来の係持体２８に併設してスライド係持部２９を併設したものであるが、該スライド係持部２９のみを設けたものがスライド方式の無筒ホルダーがある。両側板４に、逸脱防止用ガイド付きの起伏パスを設け、無筒ロールに通した図９（ａ）の単軸棒９０の両端を、対応するガイドに沿って持ち上げれば、セットされ、さらに上、または横にロールを動かして取り出せばアンセットされるようになっている。
【００１３】
次に、スライド方式について記述すると、ロック方式でのロックと解除を必要とせず、両端ともロック方式での挿入端でなる単軸棒が挿入された無筒ロールを、スライド式ホルダーにガイドに沿って下から上に持ってゆけば、自動的にカチッとセットされ、さらに少し力を入れて上に持ち上げると該単軸棒がスルッと抜け、セットされた無筒ロールが取り出せる。大抵は、無筒ロールの場合には、残余ペーパー量は少量であり、ほとんど単軸棒のみのアンセットになる。
【００１４】
スライド方式の無筒ホルダーの内側の両側板には、逸脱防止用ガイド付きの起伏パス、具体的には、下から上にスライド溝が掘られていて、該スライド溝の底面は、下から上方向に向かって高くなるスロープでなり、中途ほどに凹部の安定底があり、該凹部で急激に落ち込み、凹部から上方向には、漸次ホルダーの中心に向かって高くなる小高い凸部の丘部があり、該丘部を過ぎると、後はスライド溝の始めのレベルにまで漸次落ち込み、最後に側板を抜けることになる。ここでの高低は、側板に対する垂直方向の上昇下降である。
【００１５】
スライド方式の長所は、スライド方式で使用する該単軸棒は、ロック/解除の機能を有する該ロック軸棒である必要はなく、両端が無筒ロールの該小穴に挿入しやすいような挿入端でなり、単なる所定の太さと長さを有する単純な軸棒でよい。しかし、該スライド方式さえも、該単軸棒を使わなければならないという点では、何も用意せず、ロールをセットできるホルダーが望ましことからすれば、不満足なものである。
【００１６】
以上の如く、有筒ロールは、専用の有筒ホルダーに簡単にセット/アンセットできるが、無筒ロールは、該小穴のために、ロック方式があるが、これのセット/アンセットの作業が面倒であることから、スライド方式も採用されているが、これにも軸棒が必要であることから、無筒ロールも、有筒ロールと同様に、簡単にセット/アンセットできるものが期待され、さらに、無筒ロール、有筒ロールの種類に拘わりなく、どのロールでも簡単にセット/アンセットできる汎用ホルダーが待たれた。
【背景技術】
【００１７】
【特許文献１】特開２００６−３２６０５９  トイレットペーパーホルダー
【特許文献２】特開平０９−０３７９９３  トイレットペーパーホルダー
【発明の開示】
【発明が解決しようとする課題】
【００１８】
有筒ロール、無筒ロールの種類に拠らず、任意のロールを簡単にセットできるには、有筒ホルダーと無筒ホルダーを、それぞれ個別に併設すれば良いが、コスト、美観上問題であることから、一つのホルダーに有筒ホルダーの機能と無筒ホルダーの機能を併設する方法もある。
【００１９】
また、実際、ロールは、有筒ロールまたは無筒ロールが品切れのときもあり、普段無筒ロールを使って、品切れ等で、無筒ロールが無かったとか、何かの折には有筒ロールも使うとか、色々な状況が考えられる。
【００２０】
本願発明は、該コアノンロールを該専用ホルダーにセットする面倒さを解消し、有筒ロール、無筒ロールの種類に拠らず、任意のロールを簡単にセットできる汎用ホルダーに関する。さらに、既存ホルダー（有筒ホルダー、そして既存のロック方式、又はスライド方式の無筒ホルダー）にアダプターを付けるか、又は、機能を併設することで、汎用ホルダー化を実現する方法も、開示する。
【課題を解決するための手段】
【００２１】
本願発明の課題を解決するための手段は、揺動ロッドに、回転性、円柱性、伸縮性、長ロッド性などの各機能を、適宜兼ね備えることで、有筒/無筒によらず、任意ロールを使用できる汎用ホルダーを実現することに関するもので、上記課題を解決する為の本願発明の構成要旨を以下に記述する。
【００２２】
先ず、ホルダー本体のフレームの両側に、ロールを係持する係持機能を設けるが、該係持機能の係持手段は、従来の揺動方式の揺動ロッドに回転機能と延長機能を追加する。該延長とは、揺動ロッドのサイズを長くすることで、伸縮でも、追加で加えてもよいという意味である。
【００２３】
ここで、前以て、無筒ロールの該小穴に関し記述しておく。該無筒ロールは、中心が空洞でなくペーパーで詰まっていて小穴が開いているだけであるが、該小穴には筒が無いことから柔らかく、該単軸棒等で押し込むと、容易に挿入できる。現に、無筒ホルダーにセットする際に、ロック方式であれ、スライド方式であれ、無筒ロールに軸棒（単軸棒、又はロック軸棒）を挿入し通している。無筒ロールの該小穴は、ペーパーが中まで巻かれているが、中心が空いていて、容易に該軸棒などを挿入しやすい柔らかさ（以下、挿入容易性）を有する。
【００２４】
該小穴の該挿入容易性に着目し、該揺動ロッドを該単軸棒の形状に類似した円筒性の揺動ロッドにする。本願発明は、揺動ロッドに回転性、円柱性、長ロッド性などを適宜兼ね備えることで、有筒/無筒ロール、どちらでも使用可能な汎用ホルダーを提供することであり、これらの全機能を備えなければ、汎用ホルダーが実現できないということではなく、コストとの兼ね合いで、例えば、回転性が有れば、円柱性は無くても、それなりに、汎用性を実現できるのである。
【００２５】
しかし、特段の記載が無い限り、該係持体と該揺動ロッドとは、殆ど同じ意味に使われることとする。さらに、該揺動ロッドは、該小穴の該挿入容易性を利用して、該小穴に挿入し通すために、該小穴のペーパーとの摩擦があって、回転がスムーズにならないことから、該揺動ロッドは、揺動ロッドの長手方向の軸を中心に回転可能にする。これには、揺動ロッドに、回転筒を被せ、揺動ロッド自体は回転しなくても回転筒を回転させるか、又は揺動ロッドと揺動軸との接合部とで揺動ロッド自体を回転自在にさせることで、該摩擦を回避し、無筒ロールの自在な回転を実現することでもよい。コストの面で、回転筒の代わりに、該揺動ロッドの該円筒状の径をさらに小さくするか、該揺動ロッドを低摩擦素材等の摩擦力の低いもので作成するか、コーティングするという手法も考えられる。
【００２６】
従来のホルダーの例として示している図８にも開示しているように、一般的に、揺動ロッドのロッド長は、有筒ロールをセット/アンセット時、該大穴に出入りするロッド長が長ければ、有筒にロッドが引っかかって、セット/アンセットが困難になるので、セット/アンセットに邪魔にならない程度の長さ（以下、適度ロッド長）にしている。
【００２７】
言い換えると、該大穴のサイズは決まっていて、セット/アンセット時の、該揺動ロッドと該大穴との引っかかり度合は、ロッド長が小さければ、低減し、逆に多きければ、増大し、取り出せなくなることから、適度なサイズにする必要があるからである。
【００２８】
現に、上記の理由で、有筒ロールを、有筒ホルダーにセットする場合にも、ロッド長は、適度ロッド長を必要とすることから、無筒ロールは、有筒ホルダーの該揺動ロッドにセットする場合は、該小穴のために、セット/アンセットがさらに困難になることから、無筒ホルダー用の揺動ロッドを考える場合，有筒ホルダーの揺動ロッドの長さ以下で、無筒の適度ロッド長を考えなければならない。要するに、有筒ホルダーの場合の適度ロッド長では、該小穴にセット/アンセットは難しいことから、無筒のための適度ロッド長をどう実現するかである。
【００２９】
ところが、現実は、有筒ホルダーのみがあり、有筒ロールを有筒ホルダーにセット/アンセットすることに加え、無筒ロールも有筒ホルダーにセット/アンセットしなければならない。該挿入容易性を利用して、たとえ無筒ロールを有筒ホルダーに強引にセットできたとしても、有筒ロール用に設計された該非係持空間サイズでは長いので、往々にして、無筒ロールは、途中で、腰砕けで、中折れして、ホルダーから脱落する問題（以下、残余問題）がある。
【００３０】
ここで、揺動ロッド長、該非係持空間、該残余問題という概念に関し、一旦整理すると、有筒ロールのみのセット/アンセットの場合には、揺動ロッドの長さの条件として該適度ロッド長が論ぜられたが、無筒ロールさえもセット/アンセットするという更なる厳しい条件に対応するために、揺動ロッド長に加え、該非係持空間と該残余問題が導入されたのである。
【００３１】
これら３つの概念の関係を述べると、揺動ロッド長が増加すれば、該非係持空間は減少し、該残余問題も減少し、逆に揺動ロッド長が減少すれば、該非係持空間は増加し、該残余問題も増加する。有筒ホルダーに無筒ロールもセット/アンセット出来るようにするには、ひとえに、揺動ロッド長のサイズに掛かっているが、揺動ロッド長は、有筒ロールのために該適度ロッド長より大きくは出来ないし、無筒ロールのために、小さくも出来ないのである。このジレンマを解消する手段を以下に、記述する。
【００３２】
上記の有筒ホルダーに無筒ロールをセットした場合の残余問題を回避する手段として、セット/アンセット時に適した該適度ロッド長が、セット後、伸びて、該非係持空間が短くなり、残余問題が起こらず、有筒ロールのように、ペーパの最後まで、引き出せる手段があればよい。それには、揺動ロッド長が、セット/アンセット時には短く、使用中は長くなるロッド長可変手段が要求される。
【００３３】
この場合、無筒ロールなので、有筒ロールの様に残った筒を取り出す必要が無いことから、アンセットのための手段は、考えなくても良いが、後に、無筒ロールをセット後、ペーパーの残量が多いにも拘わらず、アンセットする手段を記述する。
【００３４】
該ロッド長可変手段は、ロールからペーパーを引き出す際に該残量問題を防止するために、該非係持体空間を短くすることが目的であることから、該突出端の距離が離れたり近づいたりできる該突出端距離の近接/離間の手段である突出端近接手段、即ち、該非係持体空間長可変手段が有れば良く、両該揺動ロッドが長手方向に伸縮するロッド伸縮手段か、又は両該揺動ロッドの出入するロッド出入手段があればよい。
【００３５】
該非係持体空間長可変手段には、磁気方式、バネ方式、手動方式等が考えられ、磁気方式では磁力を、バネ方式ではバネ力を、手動方式では手で、該揺動ロッドを伸縮、又は出入させる手法である。
【発明の効果】
【００３６】
有筒/無筒ロールの種類を気にせずにロールを購入でき、ホルダーにセットする際にも、無筒ロールの場合の該ロック軸棒/単軸棒を使っての面倒なセット作業は不要になり、有筒／無筒ロールの区別無く、簡単にセットできる。揺動ロッドに該回転手段を設けたことから、ペーパーの引出しがよりスムーズになり、しかも揺動ロッドに該伸縮手段を設けたことから、相対する該突出端が互いに接近でき、言い換えると該突出端接近手段で、無筒ロールの残余問題を防止できことで、非係持体空間長が短くなり、無筒ロールでも、近似的有筒化が実現でき、最後までペーパーが引き出せるようになる。
【００３７】
又、揺動ロッドに、細円柱性、回転性を持たせることで、後述する上下切替挿入法が可能になった。
【００３８】
又、揺動ロッドに、細円柱性、回転性、伸縮性、後述するロール幅性を持たせることで、左右順次挿入法が可能になった。
【００３９】
該ワンタッチコアノンは、有筒ロールに使用可能であるが、該残余問題で、ロールが脱落しやすいことから、幅が有筒ロールの幅の１１４mmにせざるを得なかったが、該非係持体空間長可変手段で、該残余問題が解消でき、コアノンロール幅である１０４ｍｍにすることが出来ることから、有筒ロール、無筒ロールの種類に拘わりなくロール幅が１０４ｍｍのロールの使用環境が実現できることから、より一層の環境資源節約に貢献し、建築業界の標準ホルダーとしての地位を得るものと思われる。
【発明を実施するための最良の形態】
【００４０】
従来の有筒ホルダーの該係持体の太さを、該ロック軸棒の太さ程度にし、しかも、揺動支点軸で上下動の可能な揺動ロッド自体に、揺動ロッドの長手方向の軸に対して回転するようにする該回転機能と、揺動ロッドを伸縮させる該伸縮機能とを持たせた揺動ロッド付きの汎用ホルダー。
【実施例】
【００４１】
実施例の記述に先立って、断面図に関して、以下に定義する。明記された場合には、水平断面図とは、揺動ロッドの長手方向のロッド中心線を含む水平面での断面図を、垂直断面図とは、揺動ロッドの長手方向のロッド中心線を含む垂直面での断面図を意味するものとする。又、断面図は、要はどのような構成になっているかを示すことが主眼であることから、断面図の一部は断面図でなく構成物の側面図に成っている概略断面図に成っている。また、図面も、揺動ロッドの説明を主眼とする場合、揺動ロッドとその近辺の図の開示にとどめ、全体の図面は示さなかった。
【００４２】
実施例を詳述する前に、図示の方法を説明する。例えば図１７全体の内にある各図である図１７(ａ)、図１７ (ｂ)、図１７ (ｃ)を示すのに、当図（ａ）、当図（ｂ）、当図（ｃ）、又は、さらに略して、図（ａ）、図（ｂ）、図（ｃ）と表現するものとし、文脈から明らかな時には、（ａ）、（ｂ）、（ｃ）と表現することもあるものとする。当図とは、現在説明中の図を指し、図１７の説明で、他の参照図を指すときには、従来どおりの表現である、例えば図１５、又は図１５（ａ）と表現するものとする。
【００４３】
以下、本発明の実施例を図面に基づいて説明する。図１は、図８の従来のホルダー４０で、上下に揺動する係持体２８を、細長い円柱状の揺動ロッド６にし、さらに該揺動ロッド６を、該揺動ロッド６を軸とする回転筒７で覆い、該回転筒７が抜け落ちないように、脱出防止突起８を揺動ロッド６のロッド先端１０に設けた複合ホルダー1の概略図である。この図は、構成の説明用に、機能拡大的に表示したものであり、実際には、該小穴に挿入でき、しかも、挿入後、ペーパーの引き出しがスムーズになるようにするために、回転筒も厚みの少ない筒を考えるようにするなどの工夫で製品化はなされるものとする。後述するが、摩擦を減らす方法としては、ほかに、低摩擦素材でロッドを作っても良いのである。
【００４４】
無筒ロールの該小穴に起因するロッドとの摩擦低減が目的なので、該揺動ロッド６そのものを、該揺動ロッド６の根元であるロッドステム３の上辺りで、該ロッド中心線で回転可能にしてもよい。この構成にすると、揺動ロッドが、該ロッド中心線でロッド回転することから、回転筒７は不要で、揺動ロッドは、揺動軸５で上下に揺動し、ロッドステム３で該ロッド中心線のロッド回転をするようになる。
【００４５】
図１で該揺動ロッド６は、従来のホルダー４０の係持体２８の形状を細長い円柱状にし、上下揺動の仕組みは同じで、図３（ｂ）の板バネ３１で付勢されて、前に倒れて水平位置を保っている。そして、該揺動ロッド６は、該揺動ロッド６のロッドステム３で揺動軸５で貫通され、水平位置から上向位置間を上下揺動し、上向位置では、側板４がなす面でくりぬかれている凹部２に嵌り込み、側板４の成す面からは若干出ているだけで、殆ど出ない。
【００４６】
有筒ロールをセットする場合、図８における従来のホルダー４０で有筒ロールをセットする場合と変らない。即ち、下から有筒ロールを持ち上げると、揺動ロッド６を持ち上げることになり、さらに有筒ロールを持ち上げると、若干の衝撃音がして、有筒ロールの該大穴にロッド先端１０が嵌り、セットが完了する
【００４７】
有筒ロールの使用は、ロールの穴が大きく、該係持体２８より揺動ロッド６の方が細いことから、従来の有筒ホルダーとまったく同じである。
【００４８】
使用済みでペーパ残量が少ない有筒ロールを取り出すときもまったく同じで、下から上にロールを持ち上げれば、揺動ロッド６のロッド先端１０は持ち上げられ、有筒ロールは取り出せる。
【００４９】
無筒ロールをセットする場合、無筒ロールの中央の該小穴が小さいことから、無筒ロールを下から持ち上げながら、先がある程度尖った該ロッド先端１０を水平位置から上向位置に持ち上げて行き、該小穴に該ロッド先端１０が若干嵌り込んだ時に、逆に該無筒ロールを下に下げると、揺動ロッド６が上向位置から、水平位置に倒されることで、該小穴にロッド先端１０が嵌り込む該上下切替挿入法で、セット完了となる。
【００５０】
この時に要する力は、無筒ロールの小穴に単軸棒９０を通すときと同様、無筒ロールの該挿入容易性から、ほとんど要らない。両方のロッド先端１０を、無筒ロール両方の小穴に押し込む該上下切替挿入法に付いては、無筒ロールを水平にして、持ち上げ、両側の小穴に、それぞれのロッド先端１０が嵌ったことを確認後、下に少し押し下げれば、両方のロッド先端１０が、無筒ロール両方の小穴に押し込まれる形で、無筒ロールの両方の小穴から嵌りこむ。
【００５１】
この場合のセットの仕方に少し強引さ（以下、挿入強引性）があるが、ホルダーフレーム１２の両側板４間の距離である該セット空間と、該揺動ロッド６の長さの調整で、強引さの度合いを低減でき、さらに、後の図１５に記述する揺動ロッド伸縮手段、又はロッド出入手段で、挿入強引性は解消される。しかし、要は、コストとの兼ね合いで、このままでもよいのである。
【００５２】
ロールの使用時には、無筒ロールの穴が小さいが、該回転筒７が揺動ロッド６を軸に回転することから、ロールからペーパーを引き出すのにほとんど力はいらない。只し、ペーパーの残りが少なくなったときには、複数回の回転の残りペーパーが、左右のロッド先端１０からはずれて脱落する場合もあるが、丁寧にぺーパーを引き出せば、残りペーパー量も少なくなる。最後の使用済みの筒を取り出す作業は、元々筒が無いことから、不要になる。該脱落の該残余問題は、同様に後の図１５に記述する該揺動ロッド伸縮手段、又はロッド出入手段で解消する。
【００５３】
図２に関しては、図８の係持体２８に併せて、スライド係持部２９を併設して、有筒ロール、又は無筒ロールを、選択自在に使用できる併設ホルダー２０ａの概略図である。
【００５４】
該スライド係持部２９は、スライド方式の具体例で、該ロック方式の不便さを解消したものである。
【００５５】
該スライド係持部２９によるスライド方式のセットでは、専用のロック軸棒９３を使用することを要せず、図９（ａ）の単軸棒９０で足り、セット作業は、該単軸棒９０を無筒ロールの小穴に挿入して貫通させ、無筒ロールを持って、両挿入端９３を軸端ガイド２５に沿って軸端入口２６からスロープ２４の抵抗に逆らって下から上に押し上げると、スロープ終端２３を過ぎた瞬間にカチッと両挿入端９３が安定底２２に嵌ることでセット完了となる。ロック軸棒９３でなく、単軸棒９０で足りるのは、ホルダーの両測板間が弾性で多少の伸縮が可能であるからである。又、専用のロック軸棒９３も使用可能である。
【００５６】
該単軸棒が挿入されている無筒ロールを、該スライド係持部２９から取り出すときには、只単に、該短軸棒９０が挿入されている無筒ロールを、丘部２１での若干の抵抗に抗して持ち上げれば、簡単に両挿入端９３が両軸端出口２７から脱して、無筒ロールを取り出すことができる。
【００５７】
図３は、該スライド方式の図２の該スライド係持部２９を、図８の従来のホルダーの係持体２８の裏面に内蔵させた具体例の複合係持体a３０ａと近辺部分のみの図で、図３（ａ）は、複合係持体ａ３０ａを持ち上げ、凹部２内に押し込み、該複合係持体ａ３０ａの裏面を正面で見られるようにした図で、図３（ｂ）は、図３（ａ）のＡ−Ａ‘での概略断面図を示す。
【００５８】
従来の図８の係持体２８と同様に、複合係持体ａ３０ａは、板バネ３１で付勢され、凹部２から飛び出て、水平位置に戻るが、図３（ｂ）は、単軸棒９０の挿入単９１や指で、該付勢の力に抗して、凹部２に押し込まれた場合の断面図である。
【００５９】
無筒ロールのセット/アンセットの過程は、図２の場合と同じであるが、さらに具体的に説明するために、図３（ｂ）を使って説明する。
【００６０】
裏面に内蔵のスライド係持部に無筒ロールのセットでは、先ず無筒ロールの該小穴に該単軸棒９０を通して、該無筒ロールの両側に両該挿入端９１を突出させ、該無筒ロールで下から上へ該複合係持体ａ３０ａを持ち上げてゆくと、水平位置の該複合係持体ａ３０ａは、次第に持ち上がり、水平位置の該複合係持体ａ３０ａの先端は上を向いて立ち上がり、ここで両該挿入端９１を、両軸端ガイド２５の間に配置させ、さらに無筒ロールを持ち上げると、両該挿入端９１は該軸端ガイド２５でガイドされて、軸端入口２６から上に持ち上げられて行き、両スロープ２４のスロープ終端２３を過ぎてさらに、無筒ロールを持ち上げると、両該挿入端９１は、それぞれの安定底２２にカチッと落ち込み、セットが完了する。この状態は、単軸棒９０の両該挿入端９１が、板バネ３１の付勢力で水平位置に戻ろうとする両該複合係持体ａ３０ａを押し戻して均衡を保っている状態である。
【００６１】
裏面に内蔵のスライド係持部からの無筒ロールのアンセットでは、該小穴に該単軸棒９０を通したペーパが残った無筒ロール、又は、該単軸棒のみを取り出すことになるが、始めは両丘部２１の抵抗に抗して若干の力を入れて持ち上げ、両該丘部２１を脱すると、両該丘部２１の抵抗が急に減少し、両挿入端９１は両軸端出口２６にそれぞれ到達し、さらに持ち上げると、アンセットが完了することになる。無筒ロール、又は、該単軸棒が取り出されると、該複合係持体ａ３０ａに掛かっていた該単軸棒９０の力と該板バネ３１の付勢力の内、該単軸棒９０の力が無くなり、該板バネ３１の付勢力のみになって、該複合係持体ａ３０ａは水平位置に戻ることになる。戻ると、複合係持体ａ３０ａは、裏側に該スライド方式の図２の該スライド係持部２９を設けたものであるから、外見上、図８と図３とは、同じになる。
【００６２】
図４に関しては、図８の係持体２８に併せて、揺動ロッド部１１を備えて、有筒ロール、又は無筒ロールを、選択自在に使用できる併設ホルダーｂ２０ｂの概略図である。図２のスライド方式の場合には、側板４の面から内側に突出するものが無かったが、併設ホルダーｂ２０ｂの場合には、係持体２８と揺動ロッド６のどちらがを選択的に使うものであるから、不使用のものは、側板４の面より、凹部２，又は併設凹部５内に格納させておく必要があるため、係持体２８と揺動ロッド６の選択手段が必要になる。
【００６３】
該選択手段として、スライド選択手段である選択部４２を設け、台形選択子４３を左右どちらかに突出させることで、側板４の面から内側への係持体２８と揺動ロッド６の内一方の突出を防止する。具体的には、係持体２８と揺動ロッド６のどちらかを、対応する格納部である凹部２、又は併設凹部５内に押し込み、該台形選択子４３を押し込まれた格納部へスライドさせて突出させることで、対応する板バネ３１で水平位置に戻ろうとするのを止める。
【００６４】
該選択手段で、どちらかを凹部２、又は併設凹部５に収めることで、残りのものだけが、側板４の面から内側に突出し、水平位置の状態で使用可能になる。
【００６５】
図５に関しては、図３の複合係持体ａ３０ａは、該スライド方式の図２の該スライド係持部２９を、図８の従来のホルダーの係持体２８の裏面に内蔵させたものであったが、該揺動ロッド方式の図４の揺動ロッド部１１を、図８の従来のホルダーの係持体２８の裏面に内蔵させた複合係持体ｂ３０ｂを、水平位置から持ち上げ上向にさせ、該揺動ロッド部１１の部分のみを示した図である。
【００６６】
該複合係持体ｂ３０ｂは、該係持体２８の裏面に該揺動ロッド部１１を設けたものであるから、外部から力が加わらなければ、水平位置にある該係持体２８を、凹部２に収め、水平位置に飛び出ないようにするための表裏選択手段として、選択ツマミａ５３ａ、選択ツマミｂ５３ｂ、掛突起ａ５７ａ、掛突起ｂ５７ｂを開示している。実際には、この内のどれかを採用することになる。
【００６７】
同様に、該選択ツマミａ５３ａは、ツマミ軸ａ５４ａを軸に回転させ、下方向では該揺動ロッド６を該係持体２８の裏に収める役をし、上方向では側板４の裏側のツマミ先端格納部ａ５６ａに引っ掛け、該係持体２８を凹部２に収める役をする。
【００６８】
又は、該選択ツマミｂ５３ｂは、ツマミ軸ｂ５４ｂを軸に回転させ、右方向では揺動ロッド６を該係持体２８の裏に収める役をし、上方向では側板４の裏側のツマミ先端格納部ｂ５６ｂに引っ掛け、該係持体２８を凹部２に収める役をする。該選択ツマミａ５３ａと該選択ツマミｂ５３ｂのどちらか１つを設ければよい。
【００６９】
掛突起ａ５７ａは、該揺動ロッド６を該係持体２８の裏に収めて行くと、掛突起ａ５７ａで引っかかり、さらに収めてゆくとカチッと該係持体２８の裏に収まる。
【００７０】
掛突起ｂ５７ｂは、該係持体２８を該凹部２に収めて行くと、掛突起ｂ５７ｂで引っかかり、さらに収めてゆくとカチッと該凹部２に収まる。
【００７１】
図５から見た場合、板バネ３１は該係持体２８を前面に押し出して、側板４に対して水平位置にさせようと付勢し、ロッドバネ５６は該揺動ロッド６を前面に押し出して、該係持体２８に対して直角位置にさせようと付勢している。これらのバネの付勢力に抗して、手で、持ち上げて立たせて、ツマミを回すか、掛突起に引っかかるまで押し込むことで、該複合係持体ｂ３０ｂの該係持体２８、又は該揺動ロッド６を選択的に機能させるのである。
【００７２】
図６は、図２のスライド係持部２９を抜き出し、図８のホルダー等に、接着等の装着手段で取り付けて、単軸棒９０を使って無筒ロールの使用を可能にするためのスライド係持アダプター６０の斜視図である。取り付け方は、図２のように係持体２８の横に取り付けても良いし、図３のように係持体２８の裏に取り付けても良い。
【００７３】
図７は、図８のホルダー等に、接着等の装着手段で取り付けて、単軸棒９０を使用せず無筒ロールのセットも可能にするための回転ロッド係持アダプタ７０の斜視図である。取り付け方は、図８の係持体２８の横に取り付けても良い。又、図７に、図５のような選択ツマミ５３、掛け突起５７などを設けると、図５のように係持体２８の裏に取り付けられるが、元もとの係持体２８のサイズ、裏面形状の関係で、該係持アダプタがすっぽり収まらない場合は無理であるから、図８がすでにある場合には、図８の係持体２８の横に取り付けて使う方のためには、シンプルでよい。
【００７４】
図６のスライド係持アダプタ６０、図７の回転ロッド係持アダプタ７０だけでなく、従来例の図８の係持体２８の機能を持たせた有筒係持アダプタを設けて、図１１（ｂ）のように、取付用溝である取付台形台１１０などを設けたホルダーフレームのみの無係持体ホルダーを設けて、選択的にアダプトタを取り付けることで、使用形態に合わせた汎用ホルダーを組み立てられるアダプタ組立方式としても良い。
【００７５】
図８は、従来の有筒ホルダーの斜視図である。
【００７６】
図９は、無筒ロールを無筒ホルダーにセットする際に用いられる軸棒で、当図（ａ）は、スライド方式で用いられる単軸棒９０の側面図で、当図（ｂ）、（ｃ）は、ロック方式で用いられるロック軸棒９３の側面図で、当図（ｂ）は、ロック解除でロック端が突出した状態を、当図（ｃ）は、ロックでロック端が押し込まれた状態を示す。
【００７７】
図１０は、機能付加アダプタを付加する手段の一例で、当図(ａ)は、接着手段等で該機能付加アダプタを貼り付けるアダプタ支台１０４を示し、図１０（ｂ）は、該アダプタ支台１０４を側板４に取り付けた状態を示す。図７、図８の機能付加アダプタを、先ずアダプタ支台１０４に貼り付け、次に、取付クリップ１００で、ホルダーフレーム１２に取り付けたり、アダプタ支台１０４を使用せずに、直にホルダーフレーム１２に貼り付けても良い。
【００７８】
図１１（ａ）は、接着手段で該機能付加アダプタを貼り付けるアダプタ台形支台１１４になる取付台形台１１０を示し、図１１（ｂ）は、該取付台形台１１０を、側板４に設けた取付台形溝１１６に取り付けた状態を示す。
【００７９】
以下、汎用ホルダーでは、有筒ロールは、問題なくセット/アンセットが出来ることから、無筒ロールのセット/アンセットに関して、記述するものとする。又、バネに関しては、自然長から、圧縮の力が加わり、そのサイズが短縮された状態を縮み状態、逆に引っ張りの力が加わり、そのサイズが伸びた状態を伸び状態と呼ぶことにする。
【００８０】
以下は、該残余問題の解決手段としての該非係持空間長可変手段の別の表現である突出端接近手段として、揺動ロッド伸縮手段、又は揺動ロッド出入手段があり、又、該揺動ロッド伸縮手段には、伸縮磁気方式、伸縮バネ方式、伸縮手動方式があり、該ロッド出入手段には、出入バネ方式、出入手動方式がある。
【００８１】
図１２（ａ）は、該揺動ロッド伸縮手段の内、伸縮磁気方式の具体例の該揺動ロッド６の長手方向のロッド中心線の垂直断面図で、該揺動ロッド６の根元は、かけた磁場を切ったら磁化が無い最初の状態には戻るソフト・フェライト材のソフト磁石１２７が内蔵され、近接子１２０、押出磁石１２２、引戻磁石１２３は、強磁力の永久磁石で構成し、押出磁石１２２で作られた磁力（Ｓ：Ｎ）で、ソフト磁石１２７が磁化（Ｓ：Ｎ）され、これに拠る反発力で近接子１２０は、揺動ロッド６から押出され、このために対向する両近接子１２０は、接近するが、反対の磁力を帯びさせた両該近接子１２０は、接近すればさらに引き合ってさらに近接して、該突出端間の距離は縮まって、即ち該非係持空間サイズは縮まって、該残余問題を防止する。
【００８２】
ロールのセット/アンセット時には、ロールによって近接子１２０が持ち上げられ、引き合っていた両該近接子１２０は離間させられ、さらに該揺動ロッド６の根元のソフト磁石１２７は、次第に磁力が、引戻磁石１２３の影響下に入り、反転し、この結果、該近接子１２０は引き寄せられ、結果として、揺動ロッドの長さが短くなり、ロールのセットを容易にさせる。
【００８３】
図１２（ｂ）は、揺動ロッド６がロール等のセット時に持ち上げられたとき、互いの両該近接子１１０同志の牽引は、引き離され、さらに持ち上げられると、それぞれの該揺動軸５の磁力に引き寄せられた状態を示す垂直断面図である。近接子１２０が、引戻磁石１２３を介したソフト磁石１２７の磁力で揺動ロッド６の根元に引き戻された様子を示している。
【００８４】
但し、上記の通り、互いの両該近接子１１０同志が引き合うためには、両該近接子１１０同志の磁気は反対にしておく必要がある。また、必要なら、鉄板１２４を設けて、磁力を高めてもよい。
【００８５】
また、図１２（ｃ）は、押出磁石１２２と引戻磁石１２３を設けず、押出磁石１２２の箇所に電磁石を設けて、電気回路のスイッチ１２６で、電磁石１２５のＮＳ極性を反転させて、接近子１２０の押出、引戻を行うようにしてもよい。スイッチ１２６の数は、電気回路部の構造と密接に関係し、単純には、押出用、引戻用と２つ設けてもよいし、一つのスイッチで、押している間は引戻モードに、又放した時には押出モードになるように構成してもよい。
【００８６】
図１３（ａ）、図１３（ｂ）は、揺動ロッド伸縮手段の内、伸縮バネ方式の具体例の該揺動ロッド６の該ロッド中心線の水平断面図で、回転筒７、揺動ロッド６、回転筒出入ツマミ１３３を連結バネ１３２で連結したもので、該連結バネ１３２は、該回転筒出入ツマミ１３３の回転でなされる回転筒７の押出/引込では、無付勢であるが、ロールのセット時に、該揺動ロッド６が水平位置から上に押し上げられるときに引っ張られ伸び状態になるが、放すと、無付勢の状態に戻ることで、該揺動ロッド６を元の水平位置に戻らせる役も果すようになっていて、即ち、図３（ｂ）の板バネ３１の役も果すようになっている例で、図１３（ａ）は、回転筒出入ツマミ１３３を手動で回転させ、回転筒７を最も押出した状態を示し、図１３（ｂ）は、回転筒出入ツマミ１３３を手動で回転させ、回転筒７を最も引き戻した状態を示し、図１３（ｃ）は、該連結バネ１２３を用いず、揺動ロッドの押出/引戻を指先で行う構成を示す断面概略図である。
【００８７】
図１３（ｃ）の場合では、該連結バネ１３２を用いないことから、弾性バネ１２、言い換えると板バネ３１が必要になる。この例は、ホルダーフレーム１１の両側板４間距離を、ロールをセットする際にも、ロールと測板４間に指が入るぐらいに広く取ると、ロールの形も崩れず、セットもやり易い。有筒ホルダーから汎用ホルダーに機能を上げるにおいて、かなりのコスト低減を図れる例に相当する。
【００８８】
図１４は、揺動ロッド６の長さを伸ばすため、平板バネ１４１で揺動ロッド６に延長ロッド１４４を連結させて連結ロッド１４６とし、次に、延長ロッド１４４に回転する延長筒１４５を被せ、該連結ロッド１４６の手動による出入用に出入取手１４０を直角バネ１４２で連活させたものの概略側面図である。なお、外力が無い限り、平板バネ１４１は平坦で、直角バネ１４２は直角を成し、この状態でホルダーに設置されていて、少なくとも延長ロッド１４４はホルダフレーム１２内に位置し、揺動ロッド６は側板４からセット空間８０に突出している。
【００８９】
図１５は、図１４の連結ロッド１４６の使用方法を示し、図１５（ａ）は、ホルダーフレーム１２内の取手収納部１５０に出入取手１４０が収められ、ホルダーフレーム１２の貫通路１５２の上下左右に設けられた可動部支持バネ１５１が延長筒１４５を支え、したがって延長ロッド１４４も支え、延長筒１４５、延長ロッド１４４が出し入れ可能になっていて、その先に、揺動ロッド６が連結されて、ロールホルダー内のセット空間８０に突出している。図示しないが、延長ロッド１４４に対して延長筒１４５が回転はするが、スライドして、抜けてしまわないように、延長ロッド１４４の両端辺りに突起を設けておく。
【００９０】
図１５（ｂ）は、ロールによる外力で揺動ロッド６は持ち上げられ、揺動ロッド６は、凹部２に収まった状態を示す。該小穴押込方法を採用した場合には、この時、平板バネ１４１は、付勢されて直角に曲げられている。ロールをさらに持ち上げ、ロールの小穴に揺動ロッド６のロッド先端１０が達した後は、逆にロールを押し下げる該上下切替挿入法で、ロールの小穴に揺動ロッド６のロッド先端１０が挿入され、嵌った状況になり、平板バネ１４１が元の平坦な状態に戻ることで、揺動ロッド６はロールに挿入されて、セット完了である。しかし、この段階では、ロールは無筒なので、これだけでは、該残余問題は残る。即ち、図１５（ａ）、図１５（ｂ）だけでは、図１と同じ機能である。
【００９１】
図１５（ｃ）は、該残余問題の解決のために、図１５（ａ）の状態から、手で、出入取手１４０を取手収納部１４１から出した状態を示し、ここで、手を放すと、元の図１５（ａ）の状態に戻る。双方向の矢印はそれを意味する。
【００９２】
図１５（ｄ）は、手を放さないで、貫通路１５２に、該出入取手１４０を押し込むと、揺動ロッド６と延長ロッド１４４で成る連結ロッド１４６は、さらにセット空間８０に突出することになり、該係持体空間８１は狭まり、逆に該出入取手１４０を引き出すと、逆に図１５（ｃ）の状態に、さらに引き出すと、揺動ロッド６さえも、ホルダーフレーム１２内の引き込まれ、さらに引き出すと、連結ロッド１４６がすべて引き抜かれ、外部に取り出される。双方向の矢印はそれを意味する。
【００９３】
連結ロッド１４６と該出入取手１４０の代わりに、回転筒付きの細長ロッドを、貫通路１５２に差し込んで、出し入れすることで、至って簡単な有筒/無筒両用のホルダーが可能になる。この場合には、ワンタッチセットはできない反面、有筒/無筒のセット時、手動で、該細長ロッドを出し入れして、突出具合を調整する必要があるが、至って簡便で、安価なものが可能である。
【００９４】
ホルダーフレーム１２の両側に、該貫通路を設けても良いが、一方は通常の揺動ロッドにし、他方に該貫通路を設け、有筒ロールの場合には、図１５(ａ)で使い、無筒ロールの場合には、図１５(ｄ)で、出入取手１４０で引き出し、セット空間を広くして、無筒ロールの小穴を該通常の揺動ロッドに差しこみ、次に、該出入取手１４０で、残りの小穴に押し込むというセットの仕方も可能である。
【００９５】
又、ホルダーフレーム１２の両側に該貫通路を設けた場合でも、セットの仕方は、一方は図１５（ａ）のままで、他方の該貫通路を使って、有筒ロールの場合には、両方とも図１５(ａ)で使い、無筒ロールの場合のみ、図１５(ｄ)で、出入取手１４０で引き出し、セット空間を広くして、無筒ロールの小穴を該通常の揺動ロッドに差しこみ、次に、該出入取手１４０で、残りの小穴に押し込むというセットの仕方も可能である。
【００９６】
図１６は、上記の図１５の説明で、最後に回転筒付きの細長ロッドの使用方法を説明したが、これの欠点として、ワンタッチのセットができないことを述べたが、この欠点を改善したもので、該回転筒付きの細長ロッドの代わりに、弾性ワイヤ、ゴムや樹脂等の柔軟材で成る柔軟材ロッド、例えばワイヤロッド１６０で構成し、揺動ロッド６に相当する部分だけ、回転筒や、多数の回転リング１６２で構成することで、図１５の場合のワンタッチでのセット/アンセットの不可能性を改善した例の概略垂直断面図である。
【００９７】
図１６（ａ）は、ワイヤロッド１６０の揺動ロッド６に相当する部分を回転リング１６２で覆い、図１５での貫通路１５２に延長ロッド１４４部分が収められ、揺動ロッド６に相当する部分が、セット空間８０のある内側に、側板４に垂直に突出し、該出入取手１４０が外側の取手収納部１５９に収められている状態を示す。有筒ロール使用モードの状態でもある。
【００９８】
図１６（ｂ）は、ワイヤ取手１６０を取手収納部１５０から引き出し、手や筒ロール等で回転リング１６２の部分を持ち上げて凹部２に収めた状態を示す。ワイヤロッド１６１は弾性材でなるので、図１５での平板バネ１４１、直角バネ１４２は不要である。ただ、この場合、直角バネ１４２に相当する箇所をはじめから自然状態で直角になるようにし、外力で取手収納部１５０から引き出せるようにする。
【００９９】
図１６（ｃ）は、無筒ロールをセットするために、（ａ）の状態から、ワイヤ取手１６０を取手収納部１５０から引き出した状態を示す。ここで、貫通路１５２で、ワイヤ取手１６０を引っ張って引き出すことで、揺動ロッド６相当部分は引っ込み、即ち非係持空間８１の距離が広がる。
【０１００】
図１６（ｄ）は、無筒ロールの小穴を挿入突起１６３に当てて、ワイヤ取手１６０を押し込むことで、該小穴に深く挿入される。対抗する小穴にも同様にすることで、非係持空間８１の距離は狭まり、該残余問題は起こらない。
【０１０１】
上記、長ロッド、柔軟材ロッドは、揺動ロッドのサイズを伸ばすための簡便な手法を提供していることから、揺動ロッド伸縮機能の１実現手段ともいえる。
【０１０２】
図１７は、揺動ロッド伸縮手段の内、伸縮バネ方式における図１３の回転筒出入ツマミ１３３の手法は、ホルダーフレーム１２の外側から内側に穴を開けること、又回転筒出入ツマミ１３３回転による回転筒７の出入は、造作が複雑なことから、該係持体２８の範囲での改造だけですむシンプルな図１７（ｃ）が考えられるが、ここでの回転筒７の出し入れは、完全に手動操作によってなされ、押出ノブ１７２を指で押すと、押出掛突起１７１が、凹リング１７３から外れ、回転筒７が揺動ロッド６に対して飛出し、回転筒７の先端から指で押して、押出掛突起１７１が、凹リング１７３に掛からせて、手を放すと、回転筒７内に揺動ロッド６が挿入させられる半自動的な手法にしたものを示す。
【０１０３】
図１７（ａ）は、回転筒７が飛出し、揺動ロッド６が伸びた状態を示す水平断面図で、揺動ロッド６は、該弾性バネ１２で、凹部２から押し出されて水平位置を保っていて、回転筒７の内側に凹リング１７３を設け、押出バネ１７０の伸張力に抗して、手で回転筒７を押し込んで行くと、押出掛突起１７１が該凹リング１７３にカチッと掛かり、以降手の力を抜いても、該回転筒７は押出されないが、押出ノブ１７２を押すと、連動して押出掛突起１７１も押し込まれ、結果的に押出掛突起１７１が該凹リング１７３から外れ、押出バネ１７０の伸張力で該回転筒７は押出される機構を示す概略水平断面図である。ここで、球収納部１７４には、脱防球１３４と同様に、押出バネ１７０が抜け出ないようにするためのもので、しかも、揺動ロッド６は非回転で、回転筒７は回転なので、少なくともどちらかの脱防球１３４は、回転自在であることが必要で、この図では、球収納部１７４が揺動ロッド６に固定され、その中に脱防球１３４が回転自在に収まっている構成を図示している。
【０１０４】
図１７（ｂ）は、指先で回転筒７が戻され、押出掛突起１７１が該凹リング１７３にカチッと掛かり、揺動ロッド６が縮んだ状態を示す概略水平断面図である。
【０１０５】
図１７（ｃ）は、押出バネ１７０の伸張力に抗して、指先で回転筒挿入端１３０を押し込むと、揺動ロッド６が縮み、指先で押出ノブ１７２を押すと、押出掛突起１７１が該凹リング１７３から外れ、揺動ロッド６が伸びる作業の概略を示す概略水平断面図である。
【０１０６】
実施例の説明の頭書において説明した図の指示法に関する記述法に基づいて、使用方法を詳述すると、図１７において、当図（ａ）で、指先で回転筒挿入端１３０を押し込むと、当図（ｂ）の状態になり、揺動ロッド６が縮み、ロールで、揺動ロッド６を持ち上げ、先がある程度尖った該ロッド先端１０を水平位置から上向位置に持ち上げて行き、該小穴に該ロッド先端１０が若干嵌り込んだ時に、逆に該無筒ロールを下に下げる上下切替挿入法で、揺動ロッド６が上向位置から、水平位置に倒されることで、該小穴にロッド先端１０が嵌り込み、この段階では、非係持体空間８１が広いことから、該残余問題が起こる。
【０１０７】
次に、当図（ｃ）に開示されているように、ロールと側板４の間から、指先で押出ノブ１７２を押すと、押出掛突起１７１が該凹リング１７３から外れ、押出バネ１７０の力で、回転筒７はさらに小穴の奥に押し込まれ、該残余問題が起こらない程度にまで、非係持体空間８１が狭くなり、セット完了となり、次にロールを使い切る段になっても、無筒なので、最後まで、筒が残らず、しかも該残余問題が起こらないから、ペーパーを最後まで使える。当図（ａ）は、最後のこの状態でもある。
【０１０８】
さらに、当図（ｄ）に開示されているように、ホルダー前面１７６に突出したスイッチピン１７５を押す頃で、押出ノブ１７２を押すことが出来るようにしても良い。このようにすれば、当図（ｃ）のように、ロールと側板４の間から指先を挿入することをしないで、済む。当図（ｃ）はあくまで、揺動ロッド６の改造で済むような構造に適したものである。ホルダー前面にスイッチピン１７５の穴を設けるということも考えられるが、フレームホルダー１２の型の変更を伴うこともあって、当図（ｃ）は、費用の面での節約策である。
【０１０９】
無筒ロールは１０４mmで、従来の有筒ロール１１４mmより、１０ｍｍ短い。このため、ワンッタッチコアノンも、１０４mmでは脱落してしまうことから、１１４mmにせざるを得なかった。今回、揺動ロッド６に伸縮機能を持たせることで、実質、揺動ロッド６は、最大長と最小長間で伸縮出来るようになったことから、両揺動ロッドが共に最小長に縮んだ場合には、該非係持空間８１のサイズが最大になるが、この状態で、左右の該揺動ロッド６の一方を該凹部２に収めたときの空き片側空間サイズを１０４mmになるように、セット空間８０のサイズと揺動ロッド６の最小長を設けるというロール幅性をホルダーに設けた。
【０１１０】
例えば、ロールを、ロール左端で左側板４に当てて、持ち上げると、左側板４の凹部２から水平に飛び出ていた左揺動ロッド６が、上に持ち上げられ、左凹部２に収まり、ロール右端側の揺動ロッド６の先端は、該ロール幅性で、ロール右端には当たらないので、さらに持ち上げ、ロール右端の該小穴に、右揺動ロッド６の先端が達したときに、ロールを右に水平移動させて、ロール右端の該小穴に、右揺動ロッド６の先端を挿入すると、今度は、ロール左端と左側板４間に揺動ロッドの最小長の空きが出来ることから、左凹部２に収められていた左揺動ロッド６が、水平に倒れ、左揺動ロッド６の先端が、ロール左端の小穴に来ることから、ロールを水平左移動させて、中間位置で一応セットする。この状態では、該非係持体空間８１が最大になっていることから、揺動ロッド伸縮手段の内の伸手段で、左右の最小長サイズの揺動ロッド６を共に最大長にすることで、該非係持体空間８１が最小になって、セットが完了する方法（以下、左右順次挿入法）が、実現する。
【０１１１】
該左右順次挿入法を要約すると、ロールをどちらかの側板４に当てて、持ち上げ、他方の揺動ロッドの先端が小穴にきたら挿入、次に反対側で小穴に挿入で、一応セット完了、次に、該揺動ロッド伸縮手段の伸手段である該回転筒出入ツマミ１３３、指先、該出入取手１４０、該押出ノブ１７２等で、左右の揺動ロッドを伸ばせば、セット完了となるセット法である。
【０１１２】
図１８に関しては、揺動ロッドを、回転ロッド１８１とロッドステム３で構成した回転ロッドホルダー１８０である。
【０１１３】
図１９は、回転ロッド１８１が、抜け防止ディスク１８２で、ロッドステム３と結合していて、しかも、ロッドステム３に対して、回転自在である揺動ロッド部１１の内部構造を示す概略垂直断面図であり、内部バネは、常時縮み状態で、回転ロッド１８０をロッドステム３から遠ざけようとする力が働き、回転ロッドは、セット空間に突出していて、水平矢印で示しているように、指先で抑えてロッドステム３に近づけられ、放すと又もとの突出する。図１７（ｄ）のスライドピン１７５方式を採用することで、手を放しても、延びないで縮んだ状態を保持し、該スライドピン１７５を押すと、飛び出るようにしても良い。
【産業上の利用可能性】
【０１１４】
有/無筒兼用のホルダーは、紙資源の節約に役立ち、無筒ロールは、１２本で１本の節約になること、又セットが簡単になることから、使用者は、今後かなりの増大するものと期待できる。
詳しくは、無筒ホルダーの取付作業が面倒なことから、有筒ホルダーのワンタッチの登場は、時代の流れとなり、無筒ホルダーの利用者数は減少傾向、有筒ホルダーの利用者数は増加傾向にあったが、本願発明の有/無筒兼用の汎用ホルダーの出現で、第一に、今までの無筒ロールのセットの面倒さの解消、第二に、ロール１２本でロール１本の節約という省資源、第三に有筒ロール、無筒ロール、ワンタッチコアノンの種類があっても、どれでもセットできることから、利用者の選択枝が増えるというサービス向上という観点からも、上記の時代の流れとは逆の、無筒ホルダーの利用者数は増大傾向、有筒ホルダーの利用者数は減少傾向の大きな流れが起こり、ワンタッチコアノンの存在意義がなくなり、コアノンロールのみで、無筒ホルダーに無筒ロールという使用者が増えるものと思われる。
【図面の簡単な説明】
【０１１５】
【図１】回転筒７で揺動ロッド６自体も回転可能にした該揺動ロッド部１１を備えた円柱ロッドホルダ-１の図
【図２】係持体２８にスライド係持部２９を備えた併設ホルダーａ２０ａの概略斜視図
【図３】（ａ）図８のホルダー４０の係持体２８の裏に、スライド係持部２９の機能を設けた複合係持体ａ３０ａの裏側の正面図、（ｂ）図３（ａ）複合係持体ａ３０ａのＡ−Ａ‘での断面図
【図４】図８のホルダー４０の係持体２８の横に揺動ロッド部１１を併設した併設ホルダーｂ２０ｂの概略斜視図
【図５】図８のホルダー４０の係持体２８の裏に、揺動ロッド部１１の機能を持たせた複合係持体ｂ３０ｂの裏側の正面図
【図６】スライド係持アダプタ６０の概略斜視図
【図７】回転ロッド係持アダプタ７０の概略斜視図
【図８】ホルダ-４０の概略斜視図
【図９】（ａ）単軸棒９０の正面図、（ｂ）ロック軸棒９３のロック解除状態の正面図、（ｃ）ロック軸棒９３のロック状態の正面図
【図１０】（ａ）取付クリップ１００の概略斜視図、（ｂ）ホルダーフレーム１２に取付クリップを取付けた状態の概略斜視図
【図１１】（ａ）取付台形台１１０の概略斜視図、（ｂ）ホルダーフレーム１２の取付台形溝１１６に取付台形台１１０を取付けた状態の概略斜視図
【図１２】磁力を利用した揺動ロッド伸縮手段の揺動ロッドの中心線の概略垂直断面図、（ａ）は、押出された状態の概略垂直断面図、（ｂ）は、引き戻された状態の概略垂直断面図、（ｃ）は、電磁石で、スイッチ１２５で近接子１２０の押出/引戻を行う電気回路部を設けた概略垂直断面図
【図１３】回転筒７を回転筒出入ツマミ１３３を手動で回転させる揺動ロッドの延長手段の揺動ロッドの縦の断面概略図を示し、（ａ）は、延長された状態、（ｂ）は、引き戻された状態、（ｃ）は、該連結バネ１２３を用いず、揺動ロッドの延長を手動で行う構成を示す断面概略図。
【図１４】揺動ロッド６、延長ロッド１４４、出入取手１４０を繋げた貫通体の概略横面図
【図１５】揺動ロッド伸縮手段で、揺動ロッド、延長ロッド、出入取手を繋げて、ホルダーフレームに設けられた貫通穴から出し入れすることで揺動ロッドの延長手段の揺動ロッドの縦の断面概略図を示し、（ａ）は、有筒ロール使用前時の状態、（ｂ）は、有筒ロール使用時にロールで揺動ロッドが引き上げられた状態、（ｃ）無筒ロール使用時に出入取手１４０を、取手収納部１４１から引き出した状態、（ｄ）無筒ロールを取り付けた後に、出入取手１４０を押し込むことで、揺動ロッド６と延長ロッド１４４が飛出され、結果的に揺動ロッド間距離を短縮させた状態を示す断面概略図。
【図１６】揺動ロッド伸縮手段で、揺動ロッド、延長ロッド、出入取手で構成した弾性材のワイヤロッド１６１で、ホルダーフレーム１１の側壁に設けられた貫通路１５２に通し、ワイヤ取手１６０で出し入れすることで、セットされる様子を示す垂直断面図。
【図１７】揺動ロッド伸縮手段として、揺動ロッド６に被せた回転筒７の伸縮手段として、押出バネ１７０の伸長力と指による圧縮力で、回転筒７が揺動ロッド６に対して伸縮されるものを示し、（ａ）は、押出バネ１７０の伸長力で、回転筒７が揺動ロッド６に対して伸びた状態、（ｂ）は、手で圧縮され縮んだ状態、（ｃ）は、押出ノブ１７２を手で押すことで回転筒７が飛出し延長され、手で回転筒７を押すことで短縮される様子を示す水平断面図である。
【図１８】揺動ロッドを、回転ロッド１８１とロッドステム３で構成した回転ロッドホルダー１８０
【図１９】揺動ロッド部１１の内部構造を示す概略垂直断面図
【符号の説明】
【０１１６】
１．円柱ロッドホルダー
２  凹部
３  ロッドステム
４  側板
５  揺動軸
６  揺動ロッド
７  回転筒
８  脱出防止突起
９  カバー
１０  ロッド先端
１１  回転ロッド部
１２  ホルダーフレーム
２０ａ  併設ホルダーａ
２０ｂ  併設ホルダーｂ
２１  丘部
２２  安定部
２３  スロープ終端
２４  スロープ
２５  軸端ガイド
２６  軸端入口
２７  軸端出口
２８  係持体
２９  スライド係持部
３０ａ  複合係持体ａ
３１  板バネ
４１  抜け防止球
４２  選択部
４３  台形選択子
４４  台形溝
４５  併設凹部
５３ａ  選択ツマミａ
５３ｂ  選択ツマミｂ
５４  ツマミ軸
５５  係持体フレーク
５６ａ  ツマミ先端格納部ａ
５６ｂ  ツマミ先端格納部ｂ
５７  掛突起ａ
５７  掛突起ｂ
５８  ロッドバネ
６０  スライド係持アダプタ
６１  接着剤
７０  回転ロッド係持アダプタ
７１  アダプタフレーム
９０  単軸棒
９１  挿入単
９２  軸棒
９３  ロック軸棒
９４  端面当て
９５  ロック端
１００  取付クリップ
１０１  クリップバネ
１０２  バネ起こし
１０３  クリップ止め
１０４  アダプタ支台
１１０  取付台形台
１１４  アダプタ台形支台
１１６  取付台形溝
１２０  近接子
１２１  脱防リング
１２２  押出磁石
１２３  引戻磁石
１３０  回転筒挿入端
１３１  脱防詰め
１３２  連結バネ
１３３  回転筒出入ツマミ
１３４  脱防球
１４０  出入取手
１４１  平板バネ
１４２  直角バネ
１４３  バネ止め
１４４  延長ロッド
１４５  延長筒
１４６  連結ロッド
１５０  取手収納部
１５１  可動部支持バネ
１５２  貫通路  
１６０  ワイヤ取手
１６１  ワイヤロッド
１６２  回転リング
１６３  挿入突起
１７０  押出バネ
１７１  押出掛突起
１７２  押出ノブ
１７３  凹リング
１７４  球収納部
１７５  スイッチピン
１７６  ホルダー前面
１８０  回転ロッドホルダー
１８１  回転ロッド
１８２  抜け防止ディスク
１８３  結合ビス
【図１】
2008295481.tif 000003
【図２】
2008295481.tif 000004
【図３】
2008295481.tif 000005
【図４】
2008295481.tif 000006
【図５】
2008295481.tif 000007
【図６】
2008295481.tif 000008
【図７】
2008295481.tif 000009
【図８】
2008295481.tif 000010
【図９】
2008295481.tif 000011
【図１０】
2008295481.tif 000012
【図１１】
2008295481.tif 000013
【図１２】
2008295481.tif 000014
【図１３】
2008295481.tif 000015
【図１４】
2008295481.tif 000016
【図１５】
2008295481.tif 000017
【図１６】
2008295481.tif 000018
【図１７】
2008295481.tif 000019
【図１８】
2008295481.tif 000020
【図１９】
2008295481.tif 000021